(57)【要約】【課題】ユーザにとって有用な記録予約情報の配信を可能としたコンテンツ記録管理システム、コンテンツ記録管理サーバ、コンテンツ記録装置及びコンテンツ記録管理方法を提供する。【解決手段】コンテンツ記録管理サーバ２０は、ユーザ１の属性情報とユーザ２の属性情報とを取得するとともに、ユーザ１の録画予約情報とユーザ２の録画予約情報とを取得する。更に、コンテンツ記録管理サーバ２０は、ユーザ１の属性情報のそれぞれとユーザ２の属性情報のそれぞれとが一致する場合には、ユーザ２の録画装置１０−２へユーザ１の録画予約情報を送信し、ユーザ１の録画装置１０−１へユーザ２の録画予約情報を送信する。【選択図】図４
2012028994.tif 000002
【特許請求の範囲】
【請求項１】
コンテンツデータを記録する第１のコンテンツ記録装置及び第２のコンテンツ記録装置と、前記第１のコンテンツ記録装置及び前記第２のコンテンツ記録装置が接続されるコンテンツ記録管理サーバとを含むコンテンツ記録管理システムであって、
前記第１のコンテンツ記録装置は、
第１のユーザに関する属性を示す第１の属性情報を生成する第１の属性情報生成部と、
前記第１のユーザに対応し、前記第１のコンテンツ記録装置における前記コンテンツデータの記録の予約に関する記録予約情報を生成する記録予約情報生成部と、
生成された前記第１の属性情報及び前記記録予約情報を前記コンテンツ記録管理サーバへ送信する第１の送信部と
を備え、
前記第２のコンテンツ記録装置は、
第２のユーザに関する属性を示す第２の属性情報を生成する第２の属性情報生成部と、
生成された前記第２の属性情報を前記コンテンツ記録管理サーバへ送信する第２の送信部と
を備え、
前記コンテンツ記録管理サーバは、
前記第１のコンテンツ記録装置からの前記第１の属性情報及び前記記録予約情報と、前記第２のコンテンツ記録装置からの前記第２の属性情報とを受信する第１の受信部と、
受信された前記第２の属性情報の少なくとも何れかが、受信された前記第１の属性情報の何れかと一致する場合に、前記記録予約情報を前記第２のコンテンツ記録装置へ送信する第３の送信部と
を備え、
前記第２のコンテンツ記録装置は、
前記コンテンツ記録管理サーバからの前記記録予約情報を受信する第２の受信部と
を備えるコンテンツ記録管理システム。
【請求項２】
第１のコンテンツ記録装置からの第１の属性情報及び記録予約情報と、第２のコンテンツ記録装置からの第２の属性情報とを受信する受信部と、
前記第１の属性情報は、第１のユーザに関する属性を示す情報であり、
前記記録予約情報は、前記第１のユーザに対応し、前記第１のコンテンツ記録装置におけるコンテンツデータの記録の予約に関する情報であり、
前記第２の属性情報は、第２のユーザに関する属性を示す情報であり、
受信された前記第２の属性情報の少なくとも何れかが、受信された前記第１の属性情報の何れかと一致する場合に、前記記録予約情報を前記第２のコンテンツ記録装置へ送信する送信部と
を備えるコンテンツ記録管理サーバ。
【請求項３】
前記第１の属性情報は、前記記録予約情報を公開するか否かを示す情報を含み、
前記送信部は、前記第１の属性情報に前記記録予約情報を公開することを示す情報が含まれる場合に、前記記録予約情報を前記第２のコンテンツ記録装置へ送信する請求項２に記載のコンテンツ記録管理サーバ。
【請求項４】
前記第１の属性情報及び前記第２の属性情報は、対応するユーザが嗜好するコンテンツの種別に関する情報を含む請求項２又は３に記載のコンテンツ記録管理サーバ。
【請求項５】
前記第１の属性情報及び前記第２の属性情報は、対応するユーザが居住する地域を示す情報を含む請求項２又は３に記載のコンテンツ記録管理サーバ。
【請求項６】
コンテンツデータを記録するとともに、コンテンツ記録管理サーバに接続されるコンテンツ記録装置であって、
ユーザに関する属性を示す属性情報を生成する属性情報生成部と、
前記ユーザに対応し、前記コンテンツ記録装置における前記コンテンツデータの記録の予約に関する記録予約情報を生成する記録予約情報生成部と、
生成された前記属性情報及び前記記録予約情報を前記コンテンツ記録管理サーバへ送信する送信部と
を備えるコンテンツ記録装置。
【請求項７】
コンテンツデータを記録する第１のコンテンツ記録装置及び第２のコンテンツ記録装置と、前記第１のコンテンツ記録装置及び前記第２のコンテンツ記録装置が接続されるコンテンツ記録管理サーバとを含むコンテンツ記録管理システムにおけるコンテンツ記録管理方法であって、
前記第１のコンテンツ記録装置が、第１のユーザに関する属性を示す第１の属性情報を生成するステップと、
前記第１のコンテンツ記録装置が、前記第１のユーザに対応し、前記第１のコンテンツ記録装置における前記コンテンツデータの記録の予約に関する記録予約情報を生成するステップと、
前記第１のコンテンツ記録装置が、生成された前記第１の属性情報及び前記記録予約情報を前記コンテンツ記録管理サーバへ送信するステップと、
前記第２のコンテンツ記録装置が、第２のユーザに関する属性を示す第２の属性情報を生成するステップと、
前記第２のコンテンツ記録装置が、生成された前記第２の属性情報を前記コンテンツ記録管理サーバへ送信するステップと、
前記コンテンツ記録管理サーバが、前記第１のコンテンツ記録装置からの前記第１の属性情報及び前記記録予約情報と、前記第２のコンテンツ記録装置からの前記第２の属性情報とを受信するステップと、
前記コンテンツ記録管理サーバが、受信された前記第２の属性情報の少なくとも何れかが、受信された前記第１の属性情報の何れかと一致する場合に、前記記録予約情報を前記第２のコンテンツ記録装置へ送信するステップと、
前記第２のコンテンツ記録装置が、前記コンテンツ記録管理サーバからの前記記録予約情報を受信するステップと
を備えるコンテンツ記録管理方法。
【発明の詳細な説明】
【技術分野】
【０００１】
本発明は、テレビ放送等のコンテンツデータの記録を管理するコンテンツ記録管理システム、当該コンテンツ記録管理システムを構成するコンテンツ記録管理サーバ、コンテンツデータを記録するコンテンツ記録装置、及び、コンテンツ記録管理システムにおけるコンテンツ記録管理方法に関する。
【背景技術】
【０００２】
従来、テレビ放送の番組の録画を行う録画装置には、番組録画予約機能が設けられている。このような録画装置は、ユーザの操作に応じて、録画時刻や録画するチャンネルの情報を含んだ録画予約情報を生成し、録画時刻になると、設定されたチャンネル（放送局）の番組を自動的に録画する。
【０００３】
また、録画予約情報を一括管理するサーバ（管理サーバ）が設けられる場合もある。この場合、管理サーバは、ネットワークを介して１のユーザの録画装置からの録画予約情報を受信する。更に、管理サーバは、１のユーザの録画蔵置からの録画予約情報を他のユーザの録画装置へ配信する。これにより、１のユーザは、他のユーザの録画予約情報を利用できる（例えば、特許文献１参照）。
【先行技術文献】
【特許文献】
【０００４】
【特許文献１】特開２００５−１１００４７号公報
【発明の概要】
【発明が解決しようとする課題】
【０００５】
しかしながら、上述したコンテンツ記録管理システムにおいては、録画予約情報（以下、適宜、記録予約情報と称する）の配信において、ユーザの嗜好等の属性が考慮されていなかった。このため、１のユーザに着目した場合、配信される記録予約情報が当該ユーザにとって不要なものである場合があった。
【０００６】
そこで、本発明は、ユーザにとって有用な記録予約情報の配信を可能としたコンテンツ記録管理システム、コンテンツ記録管理サーバ、コンテンツ記録装置及びコンテンツ記録管理方法を提供することを目的とする。
【課題を解決するための手段】
【０００７】
上述した課題を解決するために、本発明は以下のような特徴を有している。まず、本発明の第１の特徴は、コンテンツデータを記録する第１のコンテンツ記録装置及び第２のコンテンツ記録装置と、前記第１のコンテンツ記録装置及び前記第２のコンテンツ記録装置が接続されるコンテンツ記録管理サーバとを含むコンテンツ記録管理システムであって、前記第１のコンテンツ記録装置は、第１のユーザに関する属性を示す第１の属性情報を生成する第１の属性情報生成部と、前記第１のユーザに対応し、前記第１のコンテンツ記録装置における前記コンテンツデータの記録の予約に関する記録予約情報を生成する記録予約情報生成部と、生成された前記第１の属性情報及び前記記録予約情報を前記コンテンツ記録管理サーバへ送信する第１の送信部とを備え、前記第２のコンテンツ記録装置は、第２のユーザに関する属性を示す第２の属性情報を生成する第２の属性情報生成部と、生成された前記第２の属性情報を前記コンテンツ記録管理サーバへ送信する第２の送信部とを備え、前記コンテンツ記録管理サーバは、前記第１のコンテンツ記録装置からの前記第１の属性情報及び前記記録予約情報と、前記第２のコンテンツ記録装置からの前記第２の属性情報とを受信する第１の受信部と、受信された前記第２の属性情報の少なくとも何れかが、受信された前記第１の属性情報の何れかと一致する場合に、前記記録予約情報を前記第２のコンテンツ記録装置へ送信する第３の送信部とを備え、前記第２のコンテンツ記録装置は、前記コンテンツ記録管理サーバからの前記記録予約情報を受信する第２の受信部とを備えることを要旨とする。
【０００８】
このようなコンテンツ記録管理システムは、第２のユーザの属性の少なくとも何れかが、第１のユーザの属性の何れかと一致する場合に、第１のユーザに対応する記録予約情報を第２のユーザに対して配信できる。従って、第２のユーザは、当該第２のユーザと嗜好等が一致する第１のユーザの記録予約情報、換言すれば、有用な記録予約情報を取得できる。
【０００９】
本発明の第２の特徴は、コンテンツ記録管理サーバであって、第１のコンテンツ記録装置からの第１の属性情報及び記録予約情報と、第２のコンテンツ記録装置からの第２の属性情報とを受信する受信部と、前記第１の属性情報は、第１のユーザに関する属性を示す情報であり、前記記録予約情報は、前記第１のユーザに対応し、前記第１のコンテンツ記録装置におけるコンテンツデータの記録の予約に関する情報であり、前記第２の属性情報は、第２のユーザに関する属性を示す情報であり、受信された前記第２の属性情報の少なくとも何れかが、受信された前記第１の属性情報の何れかと一致する場合に、前記記録予約情報を前記第２のコンテンツ記録装置へ送信する送信部とを備えることを要旨とする。
【００１０】
本発明の第３の特徴は、前記第１の属性情報は、前記記録予約情報を公開するか否かを示す情報を含み、前記送信部は、前記第１の属性情報に前記記録予約情報を公開することを示す情報が含まれる場合に、前記記録予約情報を前記第２のコンテンツ記録装置へ送信することを要旨とする。
【００１１】
本発明の第４の特徴は、前記第１の属性情報及び前記第２の属性情報は、対応するユーザが嗜好するコンテンツの種別に関する情報を含むことを要旨とする。
【００１２】
本発明の第５の特徴は、前記第１の属性情報及び前記第２の属性情報は、対応するユーザが居住する地域を示す情報を含むことを要旨とする。
【００１３】
本発明の第６の特徴は、コンテンツデータを記録するとともに、コンテンツ記録管理サーバに接続されるコンテンツ記録装置であって、ユーザに関する属性を示す属性情報を生成する属性情報生成部と、前記ユーザに対応し、前記コンテンツ記録装置における前記コンテンツデータの記録の予約に関する記録予約情報を生成する記録予約情報生成部と、生成された前記属性情報及び前記記録予約情報を前記コンテンツ記録管理サーバへ送信する送信部とを備えることを要旨とする。
【００１４】
本発明の第７の特徴は、コンテンツデータを記録する第１のコンテンツ記録装置及び第２のコンテンツ記録装置と、前記第１のコンテンツ記録装置及び前記第２のコンテンツ記録装置が接続されるコンテンツ記録管理サーバとを含むコンテンツ記録管理システムにおけるコンテンツ記録管理方法であって、前記第１のコンテンツ記録装置が、第１のユーザに関する属性を示す第１の属性情報を生成するステップと、前記第１のコンテンツ記録装置が、前記第１のユーザに対応し、前記第１のコンテンツ記録装置における前記コンテンツデータの記録の予約に関する記録予約情報を生成するステップと、前記第１のコンテンツ記録装置が、生成された前記第１の属性情報及び前記記録予約情報を前記コンテンツ記録管理サーバへ送信するステップと、前記第２のコンテンツ記録装置が、第２のユーザに関する属性を示す第２の属性情報を生成するステップと、前記第２のコンテンツ記録装置が、生成された前記第２の属性情報を前記コンテンツ記録管理サーバへ送信するステップと、前記コンテンツ記録管理サーバが、前記第１のコンテンツ記録装置からの前記第１の属性情報及び前記記録予約情報と、前記第２のコンテンツ記録装置からの前記第２の属性情報とを受信するステップと、前記コンテンツ記録管理サーバが、受信された前記第２の属性情報の少なくとも何れかが、受信された前記第１の属性情報の何れかと一致する場合に、前記記録予約情報を前記第２のコンテンツ記録装置へ送信するステップと、前記第２のコンテンツ記録装置が、前記コンテンツ記録管理サーバからの前記記録予約情報を受信するステップとを備えることを要旨とする。
【発明の効果】
【００１５】
本発明によれば、ユーザにとって有用な記録予約情報の配信が可能となる。
【図面の簡単な説明】
【００１６】
【図１】本実施形態に係るコンテンツ記録管理システムの概略構成を示す図である。
【図２】本実施形態に係る録画装置の詳細構成を示すブロック図である。
【図３】本実施形態に係るユーザ情報の内容及びデータ構造を示す図である。
【図４】本実施形態に係る録画予約情報の内容を示す図である。
【図５】本実施形態に係るコンテンツ記録管理サーバの詳細構成を示すブロック図である。
【図６】本実施形態に係るコンテンツ記録管理システムの第１の動作を示すシーケンス図である。
【図７】本実施形態に係るコンテンツ記録管理サーバの録画予約情報の配信制御に関する第１の動作を示すフローチャートである。
【図８】本実施形態に係るコンテンツ記録管理システムの第２の動作を示すシーケンス図である。
【図９】本実施形態に係るコンテンツ記録管理サーバの録画予約情報の配信制御に関する第２の動作を示すフローチャートである。
【発明を実施するための形態】
【００１７】
次に、図面を参照して、本発明のコンテンツ記録管理システムの実施形態について説明する。具体的には、（１）コンテンツ記録管理システムの概略構成、（２）録画装置の構成、（３）コンテンツ記録管理サーバの構成、（４）コンテンツ記録管理システムの動作、（５）作用・効果、（６）その他の実施形態について説明する。以下の実施形態における図面の記載において、同一又は類似の部分には同一又は類似の符号を付している。
【００１８】
（１）コンテンツ記録管理システムの概略構成
まず、図１を参照して、本実施形態に係るコンテンツ記録管理システムの概略構成を説明する。図１は、本実施形態に係るコンテンツ記録管理システム１の概略構成を示す説明図である。図１に示すように、コンテンツ記録管理システム１は、録画装置１０−１及び録画装置１０−２と、コンテンツ記録管理サーバ２０と、ネットワーク３０とを含んで構成される。
【００１９】
録画装置１０−１及び録画装置１０−２と、コンテンツ記録管理サーバ２０とは、インターネット等のネットワーク３０を介して接続され、相互に通信可能である。
【００２０】
録画装置１０−１は、所定のユーザ（以下、ユーザ１と称する）が所有するものであり、家屋内等に設置される。録画装置１０−２は、所定のユーザ（以下、ユーザ２と称する）が所有するものであり、家屋内等に設置される。
【００２１】
録画装置１０−１及び録画装置１０−２は、それぞれデジタル放送を受信する。また、録画装置１０−１及び録画装置１０−２は、受信したデジタル放送信号に含まれる、動画データ及び音声データ等のデジタル放送データを記録する。デジタル放送データは、コンテンツデータに対応する。なお、図１では、２つの録画装置のみが示されている。しかし、コンテンツ記録管理システムには、更に多くの録画装置が設けられてもよく、録画装置１０−１及び録画装置１０−２は、それぞれ複数存在してもよい。
【００２２】
コンテンツ記録管理サーバ２０は、適宜、録画装置１０−１からのユーザ１に対応する録画予約情報を受信して録画装置１０−２へ送信する処理、及び、録画装置１０−２からのユーザ２に対応する録画予約情報を受信して録画装置１０−１へ送信する処理を行う。なお、録画予約情報については後述する。
【００２３】
（２）録画装置の構成
図２は、録画装置１０−１の詳細構成を示すブロック図である。なお、録画装置１０−２は録画装置１０−１と同様の構成である。
【００２４】
図２に示す録画装置１０−１は、ＨＤＤ（ハードディスク）レコーダ、パーソナルコンピュータ、テレビ受像機、携帯電話機、ゲーム機等、記録機能と通信機能を有する装置である。
【００２５】
録画装置１０−１は、制御部１０２、チューナ１０８、メモリ１１２、入出力部（Ｉ／Ｏ部）１１６、リモートコントローラ（リモコン）受信部１１８及びインタフェース（Ｉ／Ｆ）部１２０を含む。
【００２６】
制御部１０２は、例えばＣＰＵによって構成され、録画装置１０が具備する各種機能を制御する。
【００２７】
チューナ１０８は、家屋等に設置されたアンテナ１３０に接続される。ここで、デジタル放送は、地上デジタル放送、ＢＳデジタル放送、ＣＳデジタル放送等、特に限定されない。チューナ１０８は、アンテナ１３０を介してデジタル放送の信号を受信する。チューナ１０８は、デジタル放送信号に対して、復調、復号等の処理を行い、動画データ及び音声データ、チャンネル番号情報、番組ＩＤ、番組の放送時間の情報、番組表情報等のデジタル放送データを取得する。デジタル放送データは、コンテンツデータに対応する。更に、チューナ１０８は、デジタル放送データを制御部１０２へ出力する。
【００２８】
メモリ１１２は、例えば、ＤＤＲ−ＳＲＡＭであり、録画装置１０が具備する各種機能を実現するために必要な情報を記憶している。
【００２９】
リモコン受信部１１８は、外部のリモートコントローラ１４０からの操作信号を受信する。更に、リモコン受信部１１８は、操作信号を、Ｉ／Ｏ部１１６を介して制御部１０２へ出力する。
【００３０】
Ｉ／Ｆ部１２０は、インターネット３０に接続される。Ｉ／Ｆ部１２０は、インターネット３０を介して、コンテンツ記録管理サーバ２０との間で通信を行う。
【００３１】
制御部１０２は、属性情報生成部１２１、録画予約情報生成部１２２、送信処理部１２３、受信処理部１２４及び録画予約処理部１２５を含む。
【００３２】
属性情報生成部１２１は、録画装置１０−１のユーザ（ここではユーザ１）に関する属性を示すユーザ１属性情報を生成する。
【００３３】
具体的には、ユーザ１がリモートコントローラ１４０を操作して、当該リモートコントローラ１４０が操作信号を送信すると、制御部１０２は、リモコン受信部１１８及びＩ／Ｏ部１１６を介して、操作信号を受信する。更に、制御部１０２は、操作信号に対応する処理を判別する。
【００３４】
操作信号に対応する処理が属性情報の生成であった場合、属性情報生成部１２１は、当該操作信号に応じて、換言すれば、ユーザ１の操作に応じて、ユーザ１のユーザ情報を生成する。
【００３５】
図３（ａ）は、ユーザ１ユーザ情報の内容を示す図であり、図３（ｂ）は、ユーザ１ユーザ情報のデータ構造を示す図である。図３（ａ）に示すように、ユーザ１のユーザ情報は、当該ユーザ１のユーザＩＤ、タグ情報、カテゴリ情報、居住地域情報を含む。これらのうち、タグ情報、カテゴリ情報、居住地域情報は、ユーザ１の属性情報である。
【００３６】
タグ情報は、ユーザ１が嗜好する番組のキーワード（例えば、「夏の新番組」等）である。カテゴリ情報は、ユーザ１が嗜好する番組の種別（例えば、「アニメ」、「スポーツ」等）である。居住地域情報は、ユーザ１の居住地域情報である。居住地域情報については、ユーザ１の操作によらず、チャンネルスキャンの結果得られる地域情報が用いられてもよい。ユーザ１ユーザ情報の内容が、図３（ａ）に示すものである場合であって、当該ユーザ１ユーザ情報がＸＭＬ（Extensible Markup Language）のデータ構造を採用する場合には、図３（ｂ）に示すデータ構造となる。
【００３７】
送信処理部１２３は、ユーザ１ユーザ情報を、Ｉ／Ｆ部１２０及びインターネットを介して、コンテンツ記録管理サーバ２０へ送信する。
【００３８】
録画予約情報生成部１２２は、ユーザ１に対応し、録画装置１０−１におけるデジタル放送データの記録の予約に関する録画予約情報を生成する。
【００３９】
具体的には、ユーザ１がリモートコントローラ１４０を操作して、当該リモートコントローラ１４０が操作信号を送信すると、制御部１０２、リモコン受信部１１８及びＩ／Ｏ部１１６を介して、操作信号を受信する。更に、制御部１０２は、操作信号に対応する処理を判別する。
【００４０】
操作信号に対応する処理が録画予約情報の生成であった場合、録画予約情報生成部１２２は、当該操作信号に応じて、換言すれば、ユーザ１の操作に応じて、ユーザ１の録画予約情報を生成する。
【００４１】
図４（ａ）は、ユーザ１録画予約情報の内容を示す図であり、図４（ｂ）は、ユーザ１録画予約情報のデータ構造を示す図である。図４（ａ）に示すように、ユーザ１録画予約情報は、当該ユーザ１のユーザＩＤ、番組ＩＤ、チャンネル番号情報、放送時間情報を含む。
【００４２】
番組ＩＤは、ユーザ１が記録を要求するコンテンツである番組の識別情報である。チャンネル番号情報は、ユーザ１が記録を要求するコンテンツである番組が放送されるチャンネルの番号である。放送時間は、ユーザ１が記録を要求するコンテンツである番組の開始時刻の情報及び終了時刻の情報である。ユーザ１録画予約情報の内容が、図４（ａ）に示すものである場合であって、当該ユーザ１録画予約情報がＸＭＬ（Extensible Markup Language）のデータ構造を採用する場合には、図４（ｂ）に示すデータ構造となる。
【００４３】
なお、本実施形態では、属性情報生成部１２１による属性情報の生成は必須であるのに対して、録画予約情報生成部１２２による録画予約情報の生成は任意である。
【００４４】
送信処理部１２３は、録画予約情報生成部１２２によってユーザ１録画予約情報が生成された場合、当該ユーザ１録画予約情報を、Ｉ／Ｆ部１２０及びインターネットを介して、コンテンツ記録管理サーバ２０へ送信する。
【００４５】
受信処理部１２４は、後述するコンテンツ記録管理サーバ２０からのユーザ１以外のユーザ（ここでは、録画装置１０−１のユーザであるユーザ２の録画予約情報を、インターネット３０及びＩ／Ｆ部１２０を介して受信する。
【００４６】
録画予約処理部１２５は、録画予約情報生成部１２２によってユーザ１録画予約情報が生成された場合、当該ユーザ１録画予約情報に基づいて、デジタル放送データの記録に関する処理を行う。また、録画予約処理部１２５は、受信処理部１２４によってユーザ２録画予約情報が受信された場合、当該ユーザ２録画予約情報に基づいて、デジタル放送データの記録に関する処理を行う。
【００４７】
（３）コンテンツ記録管理サーバの構成
図５は、コンテンツ記録管理サーバ２０の詳細構成を示すブロック図である。図５に示すコンテンツ記録管理サーバ２０は、制御部２０２、メモリ２０４、インタフェース（Ｉ／Ｆ）部２０８を含む。
【００４８】
制御部２０２は、例えばＣＰＵによって構成され、コンテンツ記録管理サーバ２０が具備する各種機能を制御する。
【００４９】
メモリ２０４は、例えば、ＤＤＲ−ＳＲＡＭであり、コンテンツ記録管理サーバ２０が具備する各種機能を実現するために必要な情報を記憶している。
【００５０】
Ｉ／Ｆ部２０８は、インターネット３０に接続される。Ｉ／Ｆ部２０８は、インターネット３０を介して、録画装置１０−１及び録画装置１０−２との間で通信を行う。
【００５１】
制御部２０２は、受信処理部２２１、配信制御部２２２及び送信処理部２２３を含む。
【００５２】
受信処理部２２１は、録画装置１０−１からのユーザ１ユーザ情報を、インターネット３０及びＩ／Ｆ部２０８を介して受信し、メモリ２０４に記憶させる。同様に、受信処理部２２１は、録画装置１０−２からのユーザ２ユーザ情報を、インターネット３０及びＩ／Ｆ部２０８を介して受信し、メモリ２０４に記憶させる。
【００５３】
また、受信処理部２２１は、録画装置１０−１がユーザ１録画予約情報を送信した場合、当該ユーザ１録画予約情報を、インターネット３０及びＩ／Ｆ部２０８を介して受信し、メモリ２０４に記憶させる。同様に、受信処理部２２１は、録画装置１０−２がユーザ２録画予約情報を送信した場合、当該ユーザ２録画予約情報を、インターネット３０及びＩ／Ｆ部２０８を介して受信し、メモリ２０４に記憶させる。
【００５４】
配信制御部２２２は、記憶部２０４からユーザ１ユーザ情報及びユーザ２ユーザ情報を読み出す。配信制御部２２２は、ユーザ１ユーザ情報に含まれる属性情報（以下、ユーザ１属性情報と称する。）のそれぞれと、ユーザ２ユーザ情報に含まれる属性情報（以下、ユーザ２属性情報。）のそれぞれとが一致するか否かを判定する。属性情報が図３（ａ）に示すものである場合には、配信制御部２２２は、ユーザ１ユーザ情報内のタグ情報、カテゴリ情報、居住地域情報のそれぞれが、ユーザ２ユーザ情報内のタグ情報、カテゴリ情報、居住地域情報のそれぞれと一致するか否かを判定する、
ユーザ１属性情報のそれぞれと、ユーザ２属性情報のそれぞれとが一致する場合には、以下の第１の処理及び第２の処理の何れかが行われる。
【００５５】
（第１の処理）
第１の処理は、受信処理部２２１によってユーザ２録画予約情報のみが受信され、ユーザ１録画予約情報が受信されていない場合に行われる。
【００５６】
具体的には、配信制御部２２２は、メモリ２０４に記憶されているユーザ２録画予約情報を読み出す。更に、配信制御部２２２は、ユーザ１録画予約情報をユーザ２の録画装置１０−２へ送信することを決定する。この場合、送信処理部２２３は、ユーザ２録画予約情報を、Ｉ／Ｆ部２０８及びインターネット３０を介して、録画装置１０−１へ送信する。
【００５７】
受信処理部２２１によってユーザ１録画予約情報のみが受信され、ユーザ２録画予約情報が受信されていない場合にも、同様の処理が行われる。すなわち、配信制御部２２２は、メモリ２０４に記憶されているユーザ１録画予約情報を読み出す。更に、配信制御部２２２は、ユーザ２録画予約情報をユーザ１の録画装置１０−１へ送信することを決定する。この場合、送信処理部２２３は、ユーザ１録画予約情報を、Ｉ／Ｆ部２０８及びインターネット３０を介して、録画装置１０−２へ送信する。
【００５８】
（第２の処理）
第２の処理は、受信処理部２２１によってユーザ１録画予約情報とユーザ２録画予約情報との双方が受信された場合に行われる。
【００５９】
具体的には、配信制御部２２２は、メモリ２０４に記憶されているユーザ１録画予約情報及びユーザ２録画予約情報を読み出す。更に、配信制御部２２２は、ユーザ１録画予約情報をユーザ２の録画装置１０−２へ送信することを決定し、ユーザ２録画予約情報をユーザ１の録画装置１０−１へ送信することを決定する。
【００６０】
この場合、送信処理部２２３は、ユーザ１録画予約情報を、Ｉ／Ｆ部２０８及びインターネット３０を介して、録画装置１０−２へ送信し、ユーザ２録画予約情報を、Ｉ／Ｆ部２０８及びインターネット３０を介して、録画装置１０−１へ送信する。なお、送信処理部２２３は、ユーザ１録画予約情報のうち、ユーザ２録画予約情報と同一であるものについては、録画装置１０−２への送信対象から除外してもよい。また、送信処理部２２３は、ユーザ２録画予約情報のうち、ユーザ１録画予約情報と同一であるものについては、録画装置１０−１への送信対象から除外してもよい。
【００６１】
（４）コンテンツ記録管理システムの動作
図６は、コンテンツ記録管理システム１の第１の動作を示すシーケンス図である。
【００６２】
ステップＳ１０１において、ユーザ１の録画装置１０−１は、ユーザ１ユーザ情報をコンテンツ記録管理サーバ２０へ送信する。コンテンツ記録管理サーバ２０は、ユーザ１ユーザ情報を受信する。
【００６３】
ステップＳ１０２において、ユーザ２の録画装置１０−２は、ユーザ２ユーザ情報をコンテンツ記録管理サーバ２０へ送信する。コンテンツ記録管理サーバ２０は、ユーザ２ユーザ情報を受信する。
【００６４】
ステップＳ１０３において、録画装置１０−１は、ユーザ１録画予約情報をコンテンツ記録管理サーバ２０へ送信する。コンテンツ記録管理サーバ２０は、ユーザ２録画予約情報を受信する。
【００６５】
ステップＳ１０４において、コンテンツ記録管理サーバ２０は、録画予約情報の配信制御を行う。
【００６６】
図７は、ステップＳ１０４の録画予約情報の配信制御の動作を示すフローチャートである。図７に示す動作は、上述した第１の処理に対応する。なお、以下において、属性情報は、居住地域情報、タグ情報及びカテゴリ情報であるものとする。
【００６７】
ステップＳ１５１において、コンテンツ記録管理サーバ２０は、ユーザ１の属性情報である居住地域情報が、ユーザ２の属性情報である居住地域情報と一致するか否かを判定する。
【００６８】
ユーザ１の居住地域情報がユーザ２の居住地域情報と一致する場合、ステップＳ１５２において、コンテンツ記録管理サーバ２０は、ユーザ１の属性情報であるタグ情報が、ユーザ２の属性情報であるタグ情報と一致するか否かを判定する。
【００６９】
ユーザ１のタグ情報がユーザ２のタグ情報と一致する場合、ステップＳ１５３において、コンテンツ記録管理サーバ２０は、ユーザ１の属性情報であるカテゴリ情報が、ユーザ２の属性情報であるカテゴリ情報と一致するか否かを判定する。
【００７０】
ユーザ１のカテゴリ情報がユーザ２のカテゴリ情報と一致する場合、ステップＳ１５４において、コンテンツ記録管理サーバ２０は、ユーザ１の録画予約情報をユーザ２の録画装置１０−２へ送信することを決定する。
【００７１】
再び、図６に戻って説明する。ステップＳ１０５において、コンテンツ記録管理サーバ２０は、ユーザ１録画予約情報をユーザ２の録画装置１０−２へ送信する。録画装置１０−２は、ユーザ１録画予約情報を受信する。
【００７２】
図８は、コンテンツ記録管理システム１の第２の動作を示すシーケンス図である。
【００７３】
ステップＳ２０１において、ユーザ１の録画装置１０−１は、ユーザ１ユーザ情報をコンテンツ記録管理サーバ２０へ送信する。コンテンツ記録管理サーバ２０は、ユーザ１ユーザ情報を受信する。
【００７４】
ステップＳ２０２において、ユーザ２の録画装置１０−２は、ユーザ２ユーザ情報をコンテンツ記録管理サーバ２０へ送信する。コンテンツ記録管理サーバ２０は、ユーザ２ユーザ情報を受信する。
【００７５】
ステップＳ２０３において、録画装置１０−１は、ユーザ２録画予約情報をコンテンツ記録管理サーバ２０へ送信する。コンテンツ記録管理サーバ２０は、ユーザ２録画予約情報を受信する。
【００７６】
ステップＳ２０４において、録画装置１０−２は、ユーザ２録画予約情報をコンテンツ記録管理サーバ２０へ送信する。コンテンツ記録管理サーバ２０は、ユーザ２録画予約情報を受信する。
【００７７】
ステップＳ２０５において、コンテンツ記録管理サーバ２０は、録画予約情報の配信制御を行う。
【００７８】
図９は、ステップＳ２０５の録画予約情報の配信制御の動作を示すフローチャートである。図９に示す動作は、上述した第２の処理に対応する。なお、以下において、属性情報は、居住地域情報、タグ情報及びカテゴリ情報であるものとする。
【００７９】
ステップＳ２５１において、コンテンツ記録管理サーバ２０は、ユーザ１の属性情報である居住地域情報と、ユーザ２の属性情報である居住地域情報とが一致するか否かを判定する。
【００８０】
ユーザ１の居住地域情報とユーザ２の居住地域情報とが一致する場合、ステップＳ２５２において、コンテンツ記録管理サーバ２０は、ユーザ１の属性情報であるタグ情報と、ユーザ２の属性情報であるタグ情報とが一致するか否かを判定する。
【００８１】
ユーザ１のタグ情報とユーザ２のタグ情報とが一致する場合、ステップＳ２５３において、コンテンツ記録管理サーバ２０は、ユーザ１の属性情報であるカテゴリ情報と、ユーザ２の属性情報であるカテゴリ情報とが一致するか否かを判定する。
【００８２】
ユーザ１のカテゴリ情報とユーザ２のカテゴリ情報とが一致する場合、ステップＳ２５４において、コンテンツ記録管理サーバ２０は、ユーザ１の録画予約情報をユーザ２の録画装置１０−２へ送信するとともに、ユーザ２の録画予約情報をユーザ１の録画装置１０−１へ送信することを決定する。
【００８３】
再び、図８に戻って説明する。ステップＳ２０６において、コンテンツ記録管理サーバ２０は、ユーザ１録画予約情報をユーザ２の録画装置１０−２へ送信する。録画装置１０−２は、ユーザ１録画予約情報を受信する。
【００８４】
ステップＳ２０７において、コンテンツ記録管理サーバ２０は、ユーザ２録画予約情報をユーザ１の録画装置１０−１へ送信する。録画装置１０−１は、ユーザ２録画予約情報を受信する。
【００８５】
（５）作用・効果
本実施形態のコンテンツ記録管理システム１では、コンテンツ記録管理サーバ２０は、ユーザ１の属性情報とユーザ２の属性情報とを取得するとともに、ユーザ１の録画予約情報を取得し、ユーザ１の属性情報のそれぞれとユーザ２の属性情報のそれぞれとが一致する場合には、ユーザ２の録画装置１０−２へユーザ１の録画予約情報を送信する。従って、録画装置１０−２は、ユーザ２と嗜好等が一致するユーザ１の録画予約情報、換言すれば、ユーザ２にとって有用な他人の録画予約情報を取得して、録画予約処理を行うことができる。
【００８６】
また、本実施形態のコンテンツ記録管理システム１では、コンテンツ記録管理サーバ２０は、ユーザ１の属性情報とユーザ２の属性情報とを取得するとともに、ユーザ１の録画予約情報とユーザ２の録画予約情報とを取得する。更に、コンテンツ記録管理サーバ２０は、ユーザ１の属性情報のそれぞれとユーザ２の属性情報のそれぞれとが一致する場合には、ユーザ２の録画装置１０−２へユーザ１の録画予約情報を送信し、ユーザ１の録画装置１０−１へユーザ２の録画予約情報を送信する。従って、録画装置１０−１は、ユーザ１と嗜好等が一致するユーザ２の録画予約情報、換言すれば、ユーザ１にとって有用な他人の録画予約情報を取得して、録画予約処理を行うことができる。また、録画装置１０−２は、ユーザ２と嗜好等が一致するユーザ１の録画予約情報、換言すれば、ユーザ２にとって有用な他人の録画予約情報を取得して、録画予約処理を行うことができる。
【００８７】
また、属性情報として、居住地域情報が用いられることにより、地域毎に内容が異なるデジタル放送の場合に、コンテンツ記録管理サーバ２０は、ユーザ１とユーザ２とが同一の地域に居住する場合、換言すれば、双方で録画予約情報を共有可能である場合にのみ、ユーザ２の録画装置１０−２へユーザ１の録画予約情報を送信し、ユーザ１の録画装置１０−１へユーザ２の録画予約情報を送信することができる。従って、録画装置１０−２において、受信したユーザ１録画予約情報が利用できないこと、及び、録画装置１０−１において、受信したユーザ２録画予約情報が利用できないことが防止される。
【００８８】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８９】
上述した実施形態では、コンテンツ記録管理サーバ２０は、ユーザ１の属性情報のそれぞれと、ユーザ２の録画予約情報のそれぞれとが一致する場合に、ユーザ１の録画装置１０−１へユーザ２の録画予約情報を送信し、あるいは、ユーザ２の録画装置１０−２へユーザ１の録画予約情報を送信した。しかし、コンテンツ記録管理サーバ２０は、ユーザ１の属性情報の少なくともいずれか１つまたは複数と、ユーザ２の録画予約情報の何れかとが一致する場合に、ユーザ１の録画装置１０−１へユーザ２の録画予約情報を送信し、あるいは、ユーザ２の録画装置１０−２へユーザ１の録画予約情報を送信してもよい。
【００９０】
また、上述した実施形態では、コンテンツデータがデジタル放送データである場合について説明したが、インターネット３０をストリーミングで配信されるコンテンツデータ、アナログ放送のデータ等、他のコンテンツデータの記録においても、同様に本発明を適用できる。
【００９１】
また、上述した実施形態では、属性情報として、タグ情報、カテゴリ情報、居住地域情報とが用いられたが、性別、年齢、趣味等のユーザのさまざまな属性の情報が用いられてもよい。例えば、性別及び年齢が属性情報として用いられる場合、コンテンツ記録管理サーバ２０は、ユーザ１の性別及び年齢とユーザ２の性別及び年齢とが一致する場合に、ユーザ１の録画装置１０−１へユーザ２の録画予約情報を送信し、あるいは、ユーザ２の録画装置１０−２へユーザ１の録画予約情報を送信する。
【００９２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９３】
１…コンテンツ記録管理システム、１０−１、１０−２…録画装置、２０…コンテンツ記録管理サーバ、３０…インターネット、１０２…制御部、１０８…チューナ、１１２…メモリ、１１６…Ｉ／Ｏ部、１１８…リモートコントローラ受信部、１２０…Ｉ／Ｆ部、１３０…アンテナ、１４０…リモートコントローラ、２０２…制御部、２０４…メモリ、２０８…Ｉ／Ｆ部、２２１…受信処理部、２２２…配信制御部、２２３…送信処理部
【図１】
2012028994.tif 000003
【図２】
2012028994.tif 000004
【図３】
2012028994.tif 000005
【図４】
2012028994.tif 000006
【図５】
2012028994.tif 000007
【図６】
2012028994.tif 000008
【図７】
2012028994.tif 000009
【図８】
2012028994.tif 000010
【図９】
2012028994.tif 000011